(57)【要約】【課題】仕様の異なる複数の顕微鏡撮影装置を単一のアプリケーションプログラムとして制御できる制御プログラムを提供する。【解決手段】顕微鏡撮影装置の制御回路１５はＣＰＵ１６とＣＰＵ１６に接続されたＬＥＤ駆動パルス発生器１７、メモリ装置１８及びＡＤコンバータ１９から構成される。メモリ装置１８はＲＯＭ、ＥＥＰＲＯＭ、ＲＡＭ等から構成され、プログラム、自装置の機種名（機番）、ズーム倍率の範囲、現在のズーム倍率等を示すデータ等を記憶している。コンピュータシステム２０は顕微鏡撮影装置を接続されると制御コマンドを送信して顕微鏡撮影装置からその機番、ズーム倍率の範囲、現在のズーム倍率のデータを取得し、その取得した機番に対応するサブアプリケーションプログラムを呼び出して、観察画像のモニタ２４による表示やＣＣＤ９による撮影の制御、撮影画像のハードディスク２８への格納、その格納画像のモニタ２４への表示等の制御を行う。【選択図】　図２
2004086004.tif 000002
【特許請求の範囲】
【請求項１】
標本を顕微鏡像を撮影した撮影画像をデジタル標本像データとして記憶装置に保持する顕微鏡撮影装置をコンピュータに制御させるプログラムであって、
前記コンピュータと前記顕微鏡撮影装置との接続に応じて該顕微鏡撮影装置から少なくとも該顕微鏡撮影装置の機種情報又は光学系の倍率情報からなる装置情報を取得する機能と、
該取得した前記装置情報に基づいて制御情報を変更して前記顕微鏡撮影装置を制御する機能と、
を前記コンピュータに実現させることを特徴とする顕微鏡撮影装置の制御プログラム。
【請求項２】
前記複数の顕微鏡撮影装置は、それぞれ異なる機種情報を有することを特徴とする請求項１記載の顕微鏡撮影装置の制御プログラム。
【請求項３】
前記複数の顕微鏡撮影装置は、それぞれ異なる光学系倍率情報を有することを特徴とする請求項１又は２記載の顕微鏡撮影装置の制御プログラム。
【請求項４】
前記顕微鏡撮影装置から該顕微鏡撮影装置にて撮影した標本のデジタル標本像データを取得する機能と、
該デジタル標本像データに基づく標本像画像と前記顕微鏡撮影装置から取得した機種情報とを表示装置の画面上に表示する機能と、
を前記コンピュータに更に実現させることを特徴とする請求項２記載の顕微鏡撮影装置の制御プログラム。
【請求項５】
前記顕微鏡撮影装置から該顕微鏡撮影装置にて撮影した標本のデジタル標本像データを取得する機能と、
該デジタル標本像データに基づく標本像画像と前記顕微鏡撮影装置から取得した光学系倍率情報に応じた目盛り表示とを表示装置の画面上に表示する機能と、
を前記コンピュータに更に実現させることを特徴とする請求項３記載の顕微鏡撮影装置の制御プログラム。
【請求項６】
前記顕微鏡撮影装置にて撮影された標本のデジタル標本像データを記憶する機能と、
記憶された前記デジタル標本像データに付随する撮影情報から前記顕微鏡撮影装置の機種情報を取得する機能と、
該機種情報に応じて前記デジタル標本像データの画像表示の制御を前記コンピュータに実行させるサブアプリケーションプログラムを起動する機能と、
を前記コンピュータに更に実現させることを特徴とする請求項１記載の顕微鏡撮影装置の制御プログラム。
【請求項７】
前記デジタル標本像データに付随する撮影情報から前記顕微鏡撮影装置による撮影時の光学系倍率情報を取得する機能と、
該光学系倍率情報に応じた目盛り表示を、前記サブプログラムにより表示装置の画面上に表示される前記デジタル標本像データに基づく標本像画像と共に表示する機能と、
を前記コンピュータに更に実現させることを特徴とする請求項６記載の顕微鏡撮影装置の制御プログラム。
【請求項８】
前記顕微鏡撮影装置は、
中央部分に貫通孔を有し標本を載置可能な載置台と、
該載置台を所定の範囲で平面移動させる載置台移動機構と、
前記載置台に載置され前記貫通孔上に位置する標本を照明する照明装置と、
該照明装置により照明された標本からの光により前記標本の光学像を所定の倍率範囲内で任意に結像可能なレンズ系と、
該レンズ系により結像された標本像を撮影する撮影素子と、
該撮影素子により撮影された前記標本像をデジタル標本像データとして記憶する標本データ記憶装置と、
少なくとも自装置の機種情報又は前記光学系の倍率情報からなる自装置情報を記憶する自装置情報記憶装置と、
前記自装置情報、前記デジタル標本データ、又は自装置制御情報を外部のコンピュータと通信するためのインターフェースと、
該インターフェースを介して外部の前記コンピュータと通信し該コンピュータから受信する自装置制御情報に基づいて自装置を制御する制御部と、
を有することを特徴とする請求項１記載の顕微鏡撮影装置の制御プログラム。
【請求項９】
前記載置台に載置される前記標本は、スライドガラスに固定された標本又はシャーレ内で培養中の標本であることを特徴とする請求項８記載の顕微鏡撮影装置の制御プログラム。
【請求項１０】
前記撮影素子により撮影される標本像は、静止画像又は動画像であることを特徴とする請求項８又は９記載の顕微鏡撮影装置の制御プログラム。
【請求項１１】
前記光学系倍率情報は、倍率の範囲を含む情報であることを特徴とする請求項８記載の顕微鏡撮影装置の制御プログラム。
【発明の詳細な説明】
【０００１】
【発明の属する技術分野】
本発明は、顕微鏡像を撮影したデジタル標本像データを記憶装置に保持する複数の顕微鏡撮影装置をコンピュータに制御させる顕微鏡撮影装置の制御プログラムに関する。
【０００２】
【従来の技術】
従来より、顕微鏡の観察標本を顕微鏡用フィルムに撮影し又はデジタルカメラで撮影した後、その撮影時における種々の設定条件で設定された内容を記憶し、のちにその記憶されている内容と同様の撮影状態に上記顕微鏡の撮影状態を復旧させる技術は良く知られている。
【０００３】
上記の設定内容を記憶する方法としては、コンピュータ等の制御装置が専用のアプリケーションプログラムに従って動作し、顕微鏡の観察者の撮影操作をもとに、その撮影時の状態を設定情報として撮影画像と共に記憶し、のちにその記憶した設定情報に基づいて顕微鏡の撮影時の状態を復旧することを可能とした顕微鏡装置及びその使用方法が知られている（例えば、特許文献１参照。）。
【０００４】
また、同様に、コンピュータ等の制御装置が専用のアプリケーションプログラムに従って動作し、顕微鏡の観察者の標本観察時の顕微鏡操作の順序を記憶し、顕微鏡の観察者が望む顕微鏡の標本観察時の動作を中断することなく迅速に再現する顕微鏡システムが知られている（例えば、特許文献２参照。）。
【０００５】
【特許文献１】
特開２００２−１４２８８号公報（第６、９頁。第１、２、１１図。）
【０００６】
【特許文献２】
特開平７−１９９０７２号公報（第５〜７頁。第６、７、８図。）。
【０００７】
【発明が解決しようとする課題】
しかしながら、例えば特許文献１の技術は、撮影時の顕微鏡の操作情報をもとに、その顕微鏡や撮影装置の状態を復元するだけであって、その同じアプリケーションプログラムが、その他の情報たとえば撮影画像に付随する情報をもとに、その画像を撮影した顕微鏡や撮影装置の状態を復元するように制御を変更することはできない。
【０００８】
また、例えば特許文献２の技術も同様であり、同じアプリケーションプログラムが、他の顕微鏡について、その顕微鏡の操作順序の情報をもとに、その顕微鏡の標本観察時の動作を再現することはできない。
このように従来は、顕微鏡や標本撮影装置をコンピュータで制御するためのアプリケーションプログラムは、顕微鏡と１対１の関係で構成されており、他の顕微鏡や標本撮影装置の制御や操作状態の再現を処理することは出来なかったものである。
【０００９】
本発明の課題は、上記従来の実情に鑑み、仕様の異なる複数の顕微鏡撮影装置を単一のアプリケーションプログラムとして制御できる顕微鏡撮影装置の制御プログラムを提供することである。
【００１０】
【課題を解決するための手段】
以下に、本発明に係わる顕微鏡撮影装置の制御プログラムの構成を述べる。
本発明の顕微鏡撮影装置の制御プログラムは、顕微鏡像を撮影した撮影画像をデジタル標本像データとして記憶装置に保持する顕微鏡撮影装置をコンピュータに制御させる顕微鏡撮影装置の制御プログラムであって、上記コンピュータと上記顕微鏡撮影装置との接続に応じて上記顕微鏡撮影装置から少なくとも該顕微鏡撮影装置の機種情報又は光学系の倍率情報からなる装置情報を取得する機能と、該取得した上記装置情報に基づいて制御情報を変更して上記顕微鏡撮影装置を制御する機能と、を上記コンピュータに実現させるように構成される。
【００１１】
上記複数の顕微鏡撮影装置は、例えば請求項２記載のように、それぞれ異なる機種情報を有して構成され、また、例えば請求項３記載のように、それぞれ異なる光学系倍率情報を有して構成される。
この顕微鏡撮影装置の制御プログラムは、例えば請求項４記載のように、上記顕微鏡撮影装置から該顕微鏡撮影装置にて撮影した標本のデジタル標本像データを取得する機能と、該デジタル標本像データに基づく標本像画像と上記顕微鏡撮影装置から取得した機種情報とを表示装置の画面上に表示する機能と、を上記コンピュータに更に実現させるように構成される。
【００１２】
また、この顕微鏡撮影装置の制御プログラムは、例えば請求項５記載のように、上記顕微鏡撮影装置から該顕微鏡撮影装置にて撮影した標本のデジタル標本像データを取得する機能と、該デジタル標本像データに基づく標本像画像と上記顕微鏡撮影装置から取得した光学系倍率情報に応じた目盛り表示とを表示装置の画面上に表示する機能と、を上記コンピュータに更に実現させるように構成される。
【００１３】
更に、この顕微鏡撮影装置の制御プログラムは、例えば請求項６記載のように、上記顕微鏡撮影装置にて撮影された標本のデジタル標本像データを記憶する機能と、記憶された上記デジタル標本像データに付随する撮影情報から上記顕微鏡撮影装置の機種情報を取得する機能と、該機種情報に応じて前記デジタル標本像データの画像表示の制御を前記コンピュータに実行させるアプリケーションプログラムを起動する機能と、を上記コンピュータに更に実現させるように構成される。
【００１４】
また、この顕微鏡撮影装置の制御プログラムは、例えば請求項７記載のように、上記デジタル標本像データに付随する撮影情報から上記顕微鏡撮影装置による撮影時の光学系倍率情報を取得する機能と、該光学系倍率情報に応じた目盛り表示を、上記サブプログラムにより表示装置の画面上に表示される上記デジタル標本像データに基づく標本像画像と共に表示する機能と、を上記コンピュータに更に実現させるように構成される。
【００１５】
そして、この顕微鏡撮影装置の制御プログラムによって制御される上記顕微鏡撮影装置は、例えば請求項８記載のように、中央部分に貫通孔を有し標本を載置可能な載置台と、該載置台を所定の範囲で平面移動させる載置台移動機構と、上記載置台に載置され上記貫通孔上に位置する標本を照明する照明装置と、該照明装置により照明された標本からの光により上記標本の光学像を所定の倍率範囲内で任意に結像可能なレンズ系と、該レンズ系により結像された標本像を撮影する撮影素子と、該撮影素子により撮影された上記標本像をデジタル標本像データとして記憶する標本データ記憶装置と、少なくとも自装置の機種情報又は上記光学系の倍率情報からなる自装置情報を記憶する自装置情報記憶装置と、上記自装置情報、上記デジタル標本データ、又は自装置制御情報を外部のコンピュータと通信するためのインターフェースと、該インターフェースを介して外部の上記コンピュータと通信し該コンピュータから受信する自装置制御情報に基づいて自装置を制御する制御部と、を有して構成される。
【００１６】
上記載置台に載置される上記標本は、例えば請求項９記載のように、スライドガラスに固定された標本又はシャーレ内で培養中の標本である。また、上記撮影素子により撮影される標本像は、例えば請求項１０記載のように、静止画像又は動画像である。
【００１７】
また、上記光学系倍率情報は、例えば請求項１１記載のように、倍率の範囲を含む情報である。
【００１８】
【発明の実施の形態】
以下、本発明の実施の形態を図面を参照しながら説明する。
＜第一の実施形態＞
図１は、第一の実施形態としての顕微鏡撮影装置の全体構成と、これに接続されるコンピュータシステムとを示す図である。同図において、顕微鏡撮影装置のＬＥＤ照明ユニット１は、ＬＥＤ２の光をコレクタレンズ３で集光してステージ４上に載置された被写体である標本５へ上からの照明を行うものである。
【００１９】
上記のステージ４には中央に貫通孔が穿設されており、ＬＥＤ照明ユニット１から標本５へ照射されて透過した光は、上記の貫通孔を通過して結像レンズ群６及び７、並びに、これら結像レンズ群６及び７の間に配置されたズーム機構８を透過することによって撮像素子であるＣＣＤ９に投影されて結像する。
【００２０】
また、ＬＥＤ照明ユニット１は、支持軸１１を支点にして、図の紙面奥行き方向にほぼ１２０度回動できるように構成され、特には図示しないが、ステージ４に近接する本体上部側面に設けられている照明孔を介して標本５への下からの照明（反射照明）を行うこともできる。この場合も、標本５へ照射されて反射した光は、結像レンズ群６及び７、並びに、これら結像レンズ群６及び７の間に配置されたズーム機構８を透過することによって撮像素子であるＣＣＤ９に投影されて結像する。
【００２１】
上記のズーム機構８は、ズームレンズ群１２を備えており、このズームレンズ群１２のズーム軸にはズームボリューム１３が連結されている。観察者がズームボリューム１３を回転操作することによって、ズーム軸が回転してズームレンズ群１２が光軸方向に移動し、投影倍率を可変させることができる構成となっている。
【００２２】
このようにしてＣＣＤ９に投影されて結像された標本像は、ＣＣＤ９からアナログ撮像信号となって制御回路１５に出力される。制御回路１５には、ＬＥＤ照明ユニット１の調光を行うための調光ボリューム１４からの信号出力線と上記のズームボリューム１３の駆動信号出力線がそれぞれ接続されている。上記の調光ボリューム１４は、観察者がＬＥＤ照明ユニット１の照明光の調光を行うためのボリュームスイッチである。
【００２３】
図２は、上記の制御回路１５およびコンピュータシステムの構成を機能ブロックで示す図である。尚、同図には、図１の構成と同一の機能を有するブロックには、図１と同一の番号を付与して示している。図１に示す制御回路１５は、図２に示すようにＣＰＵ１６と、このＣＰＵ１６にバスを介して接続されたＬＥＤ駆動パルス発生器１７、メモリ装置１８、及びＡＤコンバータ１９から構成されている。
【００２４】
ＣＰＵ１６には、更に、上述したように図１に示したズームボリューム１３と調光ボリューム１４の駆動信号出力線が接続されている。そしてＬＥＤ駆動パルス発生器１７には図１に示したＬＥＤ照明ユニット１の入力線が接続され、ＡＤコンバータ１９には同じく図１に示したＣＣＤ９の出力線が接続されている。
【００２５】
観察者が観察する標本像の倍率を調整するためにズームボリューム１３を回転操作すると、或いは標本映像の明るさを調整するために調光ボリューム１４を回転操作すると、それらのボリュームの駆動量はＣＰＵ１６に入力される。ＣＰＵ１６は、それらのボリュームの入力を受けて、その入力量に応じたＬＥＤ制御信号をＬＥＤ駆動パルス発生器１７に出力し、ＬＥＤ駆動パルス発生器１７は、そのＬＥＤ制御信号に基づいてＬＥＤ駆動パルスを発生してＬＥＤ照明ユニット１の調光制御を行う。
【００２６】
図３（ａ）　は、上記のＬＥＤ駆動パルス発生器１７によって生成されるＬＥＤ駆動パルスの例を示す図であり、同図（ｂ）　は、ズームボリューム１３により設定されている倍率が一定であるとしたときの、調光ボリューム１４とＣＣＤ９上の光量との関係を示す図である。
【００２７】
ＬＥＤ駆動パルス発生器１７は、同図（ａ）　に示すように、ＣＣＤ９の駆動制御を行うための駆動パルスｔ（ｔ１、ｔ２、ｔ３、ｔ４）を生成するとともに、ＬＥＤ照明ユニット１のＬＥＤ２（図１参照）への供給電圧を、ＣＣＤ９の駆動周期Ｔ（図３（ａ）　参照）に同期して、通電パルス幅ｔを例えば同図（ａ）　に示すｔ１、ｔ２、ｔ３のように可変させるものとなっている。
【００２８】
尚、同図（ａ）　では、駆動パルスｔのパルス幅の例としてｔ１、ｔ２、ｔ３、ｔ４を示しているが、実際には、この通電パルス幅ｔは、ＣＰＵ１６からＬＥＤ駆動パルス発生器１７へ入力される制御信号の値「０」から「２５５」に応じて、最小パルス幅ｔｍｉｎ　から最大パルス幅ｔｍａｘ　まで連続的に変化するものとなっている。同図（ｂ）　は、調光ボリューム１４の回転角度に比例して、上記のＬＥＤ駆動パルス発生器１７からＬＥＤ２に出力されるＬＥＤ駆動パルスが最小パルス幅ｔｍｉｎ　から最大パルス幅ｔｍａｘ　まで連続的に変化することにより、これに対応してＣＣＤ９上に結像する標本像の光量が、最小のＭｉｎ光量から最大のＭａｘ光量まで直線的に変化していく状態を示している。
【００２９】
また、顕微鏡撮影装置の制御回路１５のＣＰＵ１６には、インターフェース装置等の通信制御部２１及び通信ケーブル２２を介してホスト装置であるコンピュータシステム２０が接続されている。そして、顕微鏡撮影装置の制御回路１５のメモリ装置１８は、コンピュータシステム２０からの制御の元にＣＰＵ１６が動作するための制御プログラムが格納されているＲＯＭ（ｒｅａｄ　ｏｎｌｙ　ｍｅｍｏｒｙ）領域や、顕微鏡撮影装置としての自装置の機種名（機番）やズーム機構８の有する倍率の範囲を示すデータ等を記憶するＥＥＰＲＯＭ（ｅｌｅｃｔｒｉｃａｌｌｙ　ｅｒａｓａｂｌｅ　ｐｒｏｇｒａｍｍａｂｌｅ　ＲＯＭ）　領域、更に処理中のデータを一時的に記憶するＲＡＭ（ｒａｎｄｏｍ　ａｃｃｅｓｓ　ｍｅｍｏｒｙ）領域等で構成されている。
【００３０】
図１に示したＣＣＤ９から制御回路１５に出力されるアナログ撮像信号は、図２に示すようにアナログ撮像信号ａとしてＡＤコンバータ１９に入力される。このアナログ撮像信号ａはＡＤコンバータ１９によってデジタル標本像データｂに変換されてＣＰＵ１６に出力され、ＣＰＵ１６は、この入力されるデジタル標本像データｂをコンピュータシステム２０に送信する。
【００３１】
勿論、そのままコンピュータシステム２０に送信するのではなく、一旦メモリ装置１８の画像データ領域等に記憶するようにして、この画像データをコンピュータシステム２０に転送するようにしてもよい。
尚、通信制御部２１及び通信ケーブル２２を介して通信されるのは、デジタル標本像データｂのみではなく、コンピュータシステム２０からの制御信号やデータ要求信号と、制御回路１５からの機種名（機番）やズーム機構８の倍率の範囲を示すデータ等を含む応答信号などが通信される。
【００３２】
コンピュータシステム２０は、図１に示したように、本体装置２３、モニタ２４、キーボード２５等から成るパーソナルコンピュータ（以下、ＰＣという）で構成されている。
本体装置２３は、図２に示すように、中央制御装置であるＰＣ−ＣＰＵ２６と、このＰＣ−ＣＰＵ２６にバスを介して接続されたメモリ装置２７、ハードディスク装置２８、並びにモニタ２４の表示制御を行うモニタ制御部２９、及びキーボード２５の操作イベントを検出するＩ／Ｆ（インターフェース）部３１を備えており、そして、更に、顕微鏡撮影装置の制御回路１５（つまりＣＰＵ１６）と制御信号やデータの送受信を行うためのＰＣ−通信制御部３２を備えている。
【００３３】
上記のメモリ装置２７は、例えばＲＡＭ等からなり、画像データや動作中の本プログラムやサブアプリケーションプログラムが一時的に保存される。
また、ハードディスク装置２８には、顕微鏡撮影装置の制御回路１５との通信、顕微鏡撮影装置の動作制御、撮影制御、その撮影した撮影画像データの取り込み、その取り込んだ撮影画像データに基づく画像の表示、及びその画像データの編集等が可能な顕微鏡撮影装置の制御プログラムの実行オブジェクト（以下、仮にＤＣＳ．ｅｘｅとする）、並びに上記取り込んだ画像データが格納されている。
【００３４】
上記のＤＣＳ．ｅｘｅには、種類の異なる複数の顕微鏡撮影装置をそれぞれ制御するサブアプリケーションプログラムと、それらのサブアプリケーションプログラムを制御する中心となるメインプログラムとが含まれている。
コンピュータシステム２０のＰＣ−ＣＰＵ２６は、上記のＤＣＳ．ｅｘｅのプログラム内容に従って自装置及び自装置にＰＣ−通信制御部３２を介して接続された顕微鏡像撮影装置を制御し、ＰＣ−通信制御部３２を介して顕微鏡撮影装置の制御回路１５から受信したデジタル標本像データｂ等をモニタ制御部２９を介してモニタ２４の表示画面に表示する。
【００３５】
モニタ制御部２９は、ＰＣ−ＣＰＵ２６の制御の元に、顕微鏡撮影装置の制御回路１５から受信したデジタル標本像データｂや、メモリ装置２７等にある画像データ、あるいはサブアプリケーションプログラムや、その他の情報を、モニタ表示形式に変換して、モニタ２４の表示画面に表示する。これにより、観察者は、モニタ２４の表示画面に表示される画像によって、ＣＣＤ９上に結像された標本像を間接的に観察することができる。
【００３６】
以下、本例における顕微鏡撮影装置の動作について再び図１及び図２を参照しながら説明する。
観察者が、モニタ２４の表示画面を見ながら、表示されている標本像の光量を調整するために、調光ボリューム１４を回転操作すると、その回転角度に応じて調光ボリューム１４の抵抗値が変化する。この抵抗値の変化に伴って制御回路１５のＣＰＵ１６へ入力する電圧値が変化し、その電圧値がＣＰＵ１６に内蔵のＡ／Ｄ変換器によりデジタル数値化される。すなわち調光ボリューム１４のボリューム位置に応じた電圧値がＣＰＵ１６によってデジタル数値化される。
【００３７】
また、同様にモニタ２４の表示画面を見ながら、観察者は、ＣＣＤ９上に結像されてモニタ２４に表示される被写体像としての標本像を、ズーム機構８によって投影倍率を任意に変化させて観察することができる。このときズーム機構８のズームボリューム１３の回転操作によるズーム位置に応じた値が、ＣＰＵ１６に入力される。
【００３８】
ＣＰＵ１６は、上記の調光ボリューム１４の操作量（ボリューム位置）、及びズームボリューム１３の操作量（ボリューム位置）の双方の値から、ＬＥＤ照明ユニット１の照明が最適な光量となるように、ＬＥＤ駆動パルス発生器１７にデジタル信号を送出する。
【００３９】
図３（ａ）　で説明したように、ＬＥＤ駆動パルス発生器１７は、ＣＰＵ１６からのデジタル信号の入力値に応じてＬＥＤ２への通電パルス幅ｔをＣＣＤ９の駆動周期Ｔに同期させながら連続して可変するものであるから、例えば、調光ボリューム１４のボリューム位置が１／２の位置にあり、ズームボリューム１３のボリューム位置が１倍の位置にあるときは、通電パルス幅ｔは、ＣＣＤ駆動周期Ｔの約半分となるように制御される。
【００４０】
この時、調光ボリューム１４の回転位置を最小である位置にし、ズームボリューム１３の回転位置を最小である位置にした場合は、ＬＥＤ駆動パルス発生器１７への入力値は「０」となるため、ＬＥＤ駆動パルス発生器１７から出力される通電パルス幅ｔは最小幅のｔｍｉｎ　となり、ＬＥＤ照明ユニット１からの照明光は、最小光量であるＭｉｎ光量に調光される。また、調光ボリューム１４の回転位置を最大の位置にした場合は、ＬＥＤ駆動パルス発生器１７への入力値は最大値「２５５」となり、ＬＥＤ駆動パルス発生器１７から出力される通電パルス幅ｔは最大すなわちＣＣＤ９の駆動周期Ｔと同じとなり、連続点灯状態となって、最大光量であるＭａｘ光量に調光される。
【００４１】
また、この調光は、調光ボリューム１４の回転位置を可変させることで、図３（ｂ）　に示したように、照明光の連続的な調光が可能となると同時に、同図（ａ）　に示したように、ＣＣＤ９の駆動パルスと同期したパルス制御で調光を行っているので、調光による色温度の変化がなく、モニタ２４での観察が可能な調光を容易に行うことができるようになっている。
【００４２】
次に、上記の顕微鏡撮影装置を制御するコンピュータシステム２０における制御プログラムの動作について説明する。
図４は、２台の顕微鏡撮影装置と、これらのいずれかが接続されるべきコンピュータシステムとを示す図である。尚、同図に示す２台の顕微鏡撮影装置は、それぞれメモリ装置１８に記憶されている機番及びズーム倍率が異なるだけで、その他の構成は、図１に示した顕微鏡撮影装置と同一の構成となっているので、各構成部分に番号を付与して示していない。
【００４３】
すなわち、２台の顕微鏡撮影装置の機番は同図に示すようにＤＣ−１とＤＣ−２であり、ズーム倍率は、ここでは、機番ＤＣ−１の顕微鏡撮影装置では１から１０倍の範囲のズーム倍率を有し、機番ＤＣ−２の顕微鏡撮影装置では１０から２０倍の範囲のズーム倍率を有している。
【００４４】
上記の図４において、２台のうち１台の顕微鏡撮影装置ＤＣ−１は、通信ケーブル２２によりコンピュータシステム２０に接続されており、他の１台の顕微鏡撮影装置ＤＣ−２は、コンピュータシステム２０とは切り離されて接続はされていない。
【００４５】
図５（ａ）　は、観察者がコンピュータシステム２０の操作により制御プログラムのＤＣＳ．ｅｘｅを起動した場合のコンピュータシステム２０により実行される処理動作について説明するフローチャートであり、同図（ｂ）　は、その処理動作において使用される主要なコマンド群とその機能を説明する図表である。
【００４６】
同図（ａ）　において、まず、ＤＣＳ．ｅｘｅが起動されて、ＰＣ−ＣＰＵ２６は処理の実行を開始する（Ｓ１）。そして、開始後直ちに、このコンピュータシステム２０に接続された顕微鏡撮影装置に対し、ＰＣ−ＣＰＵ２６からＰＣ−通信制御部２１を介して、図５（ｂ）　のコマンド名欄３３の１行目に示す制御コマンド「ＧｅｔＣａｍｅｒａ」を発行する（Ｓ２）。
【００４７】
この制御コマンド「ＧｅｔＣａｍｅｒａ」の発行は、同図（ｂ）　の機能説明欄３４の１行目に示すように、コンピュータシステム２０に接続された顕微鏡撮影装置の機種（機番）情報を取得するために行われる処理である。
通信ケーブル２２を介してコンピュータシステム２０のＰＣ−通信制御部３２と接続された顕微鏡撮影装置ＤＣ−１の制御回路１５のＣＰＵ１６は、上記の処理Ｓ２により、ＰＣ−ＣＰＵ２６から発行された制御コマンド「ＧｅｔＣａｍｅｒａ」を受信する。顕微鏡撮影装置ＤＣ−１のＣＰＵ１６は、メモリ装置１８の所定の領域から自装置の機番情報「ＤＣ−１」を読み出して、この読み出した機番情報「ＤＣ−１」を応答値とし、この応答値を、上記受信した制御コマンド「ＧｅｔＣａｍｅｒａ」にデリミッタの「スペース」を付加した後に追加して、図５（ｂ）　の応答例欄３５の１行目に示すように、応答情報「ＧｅｔＣａｍｅｒａ　ＤＣ−１」をコンピュータシステム２０に返信する。
【００４８】
コンピュータシステム２０のＰＣ−ＣＰＵ２６は、コンピュータシステム２０に接続された顕微鏡撮影装置ＤＣ−１から上記の応答情報「ＧｅｔＣａｍｅｒａＤＣ−１」を受信する（Ｓ３）。この受信した応答情報「ＧｅｔＣａｍｅｒａＤＣ−１」から、コンピュータシステム２０のＰＣ−ＣＰＵ２６は、接続された顕微鏡撮影装置の機番（機種）を示すデータ「ＤＣ−１」を取得する。そして、接続された顕微鏡撮影装置の機番（機種）がＤＣ−１であることを認識する。
【００４９】
続いて、ＰＣ−ＣＰＵ２６は、ＰＣ−通信制御部２１を介して、顕微鏡撮影装置ＤＣ−１に対し、図５（ｂ）　のコマンド名欄３３の２行目に示す制御コマンド「ＧｅｔＺｏｏｍＭａｇ」を発行する（Ｓ４）。
この制御コマンド「ＧｅｔＺｏｏｍＭａｇ」の発行は、同図（ｂ）　の機能説明欄３４の２行目に示すように、コンピュータシステム２０に接続された顕微鏡撮影装置の現在のズーム倍率情報を取得するために行われる処理である。
【００５０】
この処理により、顕微鏡撮影装置ＤＣ−１のＣＰＵ１６は、ＰＣ−ＣＰＵ２６からの制御コマンド「ＧｅｔＺｏｏｍＭａｇ」を受信する。この受信に基づいて、ＣＰＵ１６は、前述したズームボリューム１３のボリューム位置によって設定されているズーム倍率を参照し、そのズーム倍率を応答値として、その応答値を上記受信した制御コマンド「ＧｅｔＺｏｏｍＭａｇ」にデリミッタの「スペース」を付加した後に追加した応答情報を、コンピュータシステム２０のＰＣ−ＣＰＵ２６に返信する。
【００５１】
この顕微鏡撮影装置ＤＣ−１側からの返信処理では、例えば、現在のズーム倍率が１．００倍であれば、図５（ｂ）　の応答例欄３５の２行目に示すように、応答情報は「ＧｅｔＺｏｏｍＭａｇ　１．００」となる。
上記の返信により、コンピュータシステム２０のＰＣ−ＣＰＵ２６は、コンピュータシステム２０に接続された顕微鏡撮影装置ＤＣ−１からの応答情報「ＧｅｔＺｏｏｍＭａｇ　１．００」を受信する（Ｓ５）。これ受信した応答情報「ＧｅｔＺｏｏｍＭａｇ　１．００」から、コンピュータシステム２０のＰＣ−ＣＰＵ２６は、顕微鏡撮影装置ＤＣ−１の現在のズーム倍率を示すデータ「１．００」を取得する。そして、顕微鏡撮影装置ＤＣ−１の現在のズーム倍率が１．００倍であることを認識する。
【００５２】
続いて、ＰＣ−ＣＰＵ２６は、ＰＣ−通信制御部２１を介して、顕微鏡撮影装置ＤＣ−１に対し、図５（ｂ）　のコマンド名欄３３の３行目に示す制御コマンド「ＧｅｔＺｏｏｍＲｅｇ」を発行する（Ｓ６）。
この制御コマンド「ＧｅｔＺｏｏｍＲｅｇ」の発行は、同図（ｂ）　の機能説明欄３４の３行目に示すように、コンピュータシステム２０に接続された顕微鏡撮影装置ＤＣ−１の有するズーム倍率の範囲情報を取得するために行われる処理である。
【００５３】
この処理により、顕微鏡撮影装置ＤＣ−１のＣＰＵ１６は、ＰＣ−ＣＰＵ２６からの制御コマンド「ＧｅｔＺｏｏｍＲｅｇ」を受信する。この受信に基づいて、ＣＰＵ１６は、メモリ装置１８の所定の領域から自装置のズーム機構８に備わっているズーム倍率の範囲を示す情報を読み出して、この読み出したズーム倍率の範囲情報を、応答値として、この応答値を、上記受信した制御コマンド「ＧｅｔＺｏｏｍＲｅｇ」にデリミッタの「スペース」を付加した後に追加した応答情報を、コンピュータシステム２０のＰＣ−ＣＰＵ２６に返信する。
【００５４】
この顕微鏡撮影装置ＤＣ−１側からの返信処理では、例えば、現在のズーム倍率の範囲が、１〜１０倍であれば、図５（ｂ）　の応答例欄３５の３行目に示すように、応答情報は「ＧｅｔＺｏｏｍＲｅｇ　１，１０」となる。このスペースの後に追加された「１，１０」の「，」は最小倍率の値「１」と最大倍率の値「１０」を区切るデリミッタである。
【００５５】
上記の返信により、コンピュータシステム２０のＰＣ−ＣＰＵ２６は、コンピュータシステム２０に接続された顕微鏡撮影装置ＤＣ−１からの応答情報「ＧｅｔＺｏｏｍＲｅｇ　１，１０」を受信する（Ｓ７）。この受信した応答情報「ＧｅｔＺｏｏｍＲｅｇ　１，１０」から、コンピュータシステム２０のＰＣ−ＣＰＵ２６は、顕微鏡撮影装置ＤＣ−１の有するズーム倍率の範囲を示すデータ「１〜１０倍」を取得する。そして、顕微鏡撮影装置ＤＣ−１のズーム倍率の範囲が１〜１０倍であることを認識する。
【００５６】
そして、ＰＣ−ＣＰＵ２６は、上記顕微鏡撮影装置ＤＣ−１から受信した応答情報の情報に基づいて、これらの情報に対応するサブアプリケーションプログラムを起動する（Ｓ８）。これにより、コンピュータシステム２０のモニタ２４の画面上に、上記起動されたサブアプリケーションプログラムによる画面が表示される。
【００５７】
図６（ａ），（ｂ）　は、上記起動されたサブアプリケーションプログラムによりモニタ２４上に表示されるモニタ画面の表示の例を示す図である。以下に説明するモニタ画面の表示、表示の変化、表示の動き等は、上記のサブアプリケーションプログラムに従ってＰＣ−ＣＰＵ２６により処理される顕微鏡撮影装置に対する制御の動作を表すものである。
【００５８】
同図（ａ）　に示す例では、モニタ画面３６の最上部に、左から機種表示部３７、画面の表示を切り換えるカメラボタン３８と閲覧ボタン３９、および終了ボタン４０が表示されている。そして、同図（ａ）　の例では、機種表示部３７には、このコンピュータシステム２０に接続されている顕微鏡撮影装置ＤＣ−１の機番「ＤＣ−１」が表示されている。
【００５９】
また、カメラボタン３８が反転表示（図ではハッチングで示している）されているのは、このカメラボタン３８が観察者の画面操作によって選択されて押された（ポインティングデバイスによってクリックされた、以下同様）ことを示しており、このモニタ画面３６の表示がＣＣＤ９で現在撮影中の画面であることを示している。また、終了ボタン４０は、このサブアプリケーションプログラムによる画面表示を終了する場合に押されるボタンである。
【００６０】
モニタ画面３６の中央には、やや左寄りに大きく現在ＣＣＤ９で撮影中の標本５の映像を表示する映像部４１が表示されている。この映像部４１に表示される映像は、ライブ像（ステージ４を回転させたり、その上に載置された標本５のスライドガラスやシャーレを移動させたり、あるいは倍率を変化させながらリアルタイムで撮影して表示する標本５の映像）である。
【００６１】
この映像部４１の右側の上方に、撮影ボタン４２と録画ボタン４３が表示されている。撮影ボタン４２を押すと、その時の映像部４１に表示されているライブ像が静止画像としてハードディスク装置２８に保存される。また、録画ボタン４３を押すと、録画が開始され、映像部４１に表示されるライブ像がハードディスク装置２８に保存されつづける。録画ボタン４３を再度押すと、ハードディスク装置２８への保存が終了する。
【００６２】
上記の撮影ボタン４２と録画ボタン４３の下方には、ズームバー４４と露出バー４５の２つのスケールバーが上下二段に表示されている。ズームバー４４は、顕微鏡撮影装置ＤＣ−１のズーム倍率の範囲を示すと共に現在のズーム位置を示すスケールバーである。
【００６３】
図（ａ）　に示す例では、ズームバー４４で示されているズーム倍率の範囲は図５（ａ）　のＳ７の処理で受信した応答情報「ＧｅｔＺｏｏｍＲｅｇ　１，１０」により取得されている「１〜１０」倍の範囲を表示している。また、図５のＳ５の処理で受信した応答情報「ＧｅｔＺｏｏｍＭａｇ　１．００」により取得されている「１」倍のズーム位置がズーム位置矢印４４−１で示されている。
【００６４】
また、露出バー４５は、映像部４１に表示されるライブ像の明るさの設定を示すスケールバーである。この露出バー４５の同図（ａ）　の露出位置矢印４５−１で示す設定位置に応じて、コンピュータシステム２０のＰＣ−ＣＰＵ２６から顕微鏡撮影装置ＤＣ−１へ、露出設定コマンド「ＳｅｔＥｘｐ　ｎ」が送信される。ここで、ｎは、露出バー４５の設定位置に応じた数字である。
【００６５】
また、映像部４１に表示されるライブ像上の右下にオーバーラップして表示されるスケール目盛り４６は、図５の処理で受信されている応答情報「ＧｅｔＣａｍｅｒａ　ＤＣ−１」と「ＧｅｔＺｏｏｍＭａｇ　１．００」とから算出される目盛り値である。
【００６６】
ここで、スケール目盛り値の算出方法を示す。ズーム倍率をＮ、観察視野の大きさをｎ、観察視野に対するスケール幅率をＳｒａｔｅ、スケール目盛り値をＳｖａｌとすると、スケール目盛り値Ｓｖａｌは、
Ｓｖａｌ　＝　Ｓｒａｔｅ　／（Ｎ　×　ｎ）
となる。
【００６７】
スケール目盛り４６は、スケール幅率Ｓｒａｔｅ分だけライブ像内にスケール線を書き込み、Ｓｖａｌで示される数値（同図（ａ）　の例では「１００μｍ」）を表示する。なお、ズーム倍率Ｎは「ＧｅｔＺｏｏｍＭａｇ　１．００」から決定され、スケール幅率Ｓｒａｔｅ及び観察視野の大きさｎは、ＤＣＳ．ｅｘｅ内で各顕微鏡撮影装置の機種毎に予めパラメータとして記憶している値が使用される。
【００６８】
上記の図６（ａ）　のモニタ画面表示は、カメラボタン３８が選択されて押された場合の表示であるが、閲覧ボタン３９が押されると、同図（ｂ）　に例示するような画像閲覧表示のモニタ画面３６′に切り替わる。同図（ｂ）　は顕微鏡撮影装置ＤＣ−１からコンピュータシステム２０のハードディスク装置２８に取り込んだ撮影画像を閲覧表示する画面の例を示している。
【００６９】
同図（ｂ）　に示すように、画像閲覧表示では、同図（ａ）　に示したモニタ画面３６の最上部に表示される左から機種表示部３７、カメラボタン３８、閲覧ボタン３９、及び終了ボタン４０の表示は、そのままで、同図（ｂ）　のモニタ画面３６′では、それらのボタン表示の下に、４枚の撮影画像４７（４７−１、４７−２、４７−３、４７−４）が表示される。これら４枚の撮影画像４７は、閲覧ボタン３９が押されるごとに次の４枚の画像表示に切り替わる。
【００７０】
尚、この画像閲覧表示では、４枚毎に限ることなく、適宜の大きさのサムネイル画像として、より多くの枚数の画像を表示するようにしてもよい。
ここで観察者は、再びカメラボタン３８を押しても良く、また終了ボタンを押して顕微鏡撮影装置ＤＣ−１の操作を終了しても良い。このように観察者は、カメラボタン３８又は閲覧ボタン３９を押すことによって、ライブ像を観察したり、撮影済みの標本像を撮影したときの状態で再現して観察することができる。
【００７１】
図７は、顕微鏡撮影装置ＤＣ−１とコンピュータシステム２０との接続を切り離し、顕微鏡撮影装置ＤＣ−２をコンピュータシステム２０と接続してＤＣＳ．ｅｘｅを実行した場合に起動されるサブアプリケーションプログラムによるモニタ画面の表示の例を示す図である。
【００７２】
顕微鏡撮影装置ＤＣ−２の場合は、制御プログラムのＤＣＳ．ｅｘｅが起動されたときコンピュータシステム２０が顕微鏡撮影装置ＤＣ−２から受信する応答情報は、図５のＳ３の処理では「ＧｅｔＣａｍｅｒａ　ＤＣ−２」となり、Ｓ７の処理では「ＧｅｔＺｏｏｍＲｅｇ　１０，２０」となることは図４で述べた構成から明らかである。そして、図７に示すモニタ画面３６″の表示は、上記の応答情報から取得されたデータに加えて、図５のＳ５の処理で受信した応答情報が例えば「ＧｅｔＺｏｏｍＭａｇ　１０．０」であったとしたときに表示されるモニタ画面の表示の例を示している。
【００７３】
すなわち、機種表示部３７には、応答情報「ＧｅｔＣａｍｅｒａ　ＤＣ−２」から取得された機種データ「ＤＣ−２」が表示され、ズームバー４４には、応答情報「ＧｅｔＺｏｏｍＲｅｇ　１０，２０」から取得された「１０〜２０」の倍率範囲が示され、ズーム位置矢印４４−１は、応答情報「ＧｅｔＺｏｏｍＭａｇ１０．０」から取得された現在のズーム位置である「１０」倍のズーム位置が示されている。
【００７４】
そして、映像部４１のライブ像は図６（ａ）　のライブ像と同一に見えるが、その画像表示の右下にオーバーラップして表示されているスケール目盛り４６は、上記の応答情報「ＧｅｔＣａｍｅｒａ　ＤＣ−２」と、「ＧｅｔＺｏｏｍＭａｇ　１０．０」とから算出された目盛り値であって、画面上では図６（ａ）　のライブ像の場合と同一長さのスケール線に対して、その上に添えて表示されている数値は、図６（ａ）　の場合は「１００μｍ」であったのに対して図７では１／１０の「１０μｍ」になっている。すなわち、現在のズーム倍率が、図６（ａ）　の場合は１倍であったのに対して図７では１０倍になっていることに対応している。
【００７５】
尚、この場合も、閲覧ボタン３９を押すことによって、顕微鏡撮影装置ＤＣ−２からコンピュータシステム２０のハードディスク装置２８に取り込んだ画像を、図６（ｂ）　に示したように、４枚毎の画像として又は適宜の大きさと適宜の枚数のサムネイル画像として一覧表示できることは勿論である。
【００７６】
図８は、顕微鏡撮影装置ＤＣ−１又はＤＣ−２のいずれの顕微鏡撮影装置もコンピュータシステム２０に接続せずに、制御プログラムのＤＣＳ．ｅｘｅを実行した場合のモニタ画面の表示の例を示す図である。この場合、最初にコンピュータシステム２０から発行するコマンド「ＧｅｔＣａｍｅｒａ」に対する返答コマンドが受信されないため、図６（ａ），（ｂ）　のモニタ画面３６や３６′の表示に示すような制御画面を表示せず、単に４枚の撮影画像の一覧表示画面からなる閲覧画面４８を表示している。
【００７７】
但し、接続されている顕微鏡撮影装置が存在しないため、機種表示部３７には、顕微鏡撮影装置の機種は表示されず、また、その右方には、閲覧ボタン３８のみが表示されていて、図６（ａ），（ｂ）　に示したカメラボタン３８は表示されていない。閲覧ボタン３８を押すたびに４枚の画像が次の４枚の画像に切り替わる。
【００７８】
この図８に示す閲覧画面４８の画面表示状態で、コンピュータシステム２０に顕微鏡撮影装置ＤＣ−１を接続すると、図６（ｂ）　と同様な表示画面に切り替わる。また、その状態で、カメラボタン３８を押すと、図６（ａ）　の表示画面に切り替わる。顕微鏡撮影装置ＤＣ−２の場合も同様である。
【００７９】
以上のように、１つの制御プログラムを実行すると、仕様の異なる複数の顕微鏡撮影装置のうち、コンピュータシステム２０に接続された顕微鏡撮影装置に対応したサブアプリケーションプログラムが起動する。これにより、観察者は、使用する顕微鏡撮影装置の機種に拘わり無く、１つの制御プログラム（ＤＣＳ．ｅｘｅ）を起動するだけでよいので、顕微鏡撮影装置を用いるシステムの操作性が向上する。また、複数の顕微鏡撮影装置に対応する制御用の複数のアプリケーションプログラムをコンピュータシステム２０に設定する必要がないので、コンピュータシステム２０の設定の煩雑さも解消される。
＜第一の実施形態の変形例１＞
図９は、第一の実施形態の変形例１として、コンピュータシステム２０に接続する顕微鏡撮影装置の機種によって、ライブ像と共に表示するスケールの表示方法が異なる例を示す図である。尚、同図は基本的には図７の場合と同様であるので、説明に必要な部分を除き、その他の部分については番号の図示を省略している。
【００８０】
本変形例では、図９に示すように、顕微鏡撮影装置ＤＣ−２をコンピュータシステム２０に接続したときに起動されるサブアプリケーションプログラムによる画面表示処理では、ライブ像と共に表示されるスケールの表示方法が、図６（ａ）　に示した顕微鏡撮影装置ＤＣ−１の場合、および図７に示した顕微鏡撮影装置ＤＣ−２の場合と異なる。
【００８１】
すなわち、図９に示すように、本例のサブアプリケーションプログラムによるモニタ画面表示では、映像部４１のライブ像の下外側にスケール目盛り４９が表示される。このスケール目盛り４９のライブ像に対する１０μｍ分のスケール線の長さは、図７に示したスケール目盛り４６のスケール線の長さと同一である。
【００８２】
前述した図６（ａ）　又は図７の場合では、ライブ像上にスケール目盛りが表示されるため、たとえライブ像のさほど重要でない右下隅の表示にオーバーラップさせた表示であるとはいえ、そのスケール目盛りの表示が、その近傍のライブ像の観察の妨げにならないとは限らない。
【００８３】
本例では、ライブ像上にオーバーラップさせず、ライブ像の外側にスケール目盛りを表示するので、ライブ像の観察の妨げにならないだけでなく、スケール目盛りの表示領域を大きくとることができ、これにより、観察中のライブ像とスケール目盛りとの対比がしやすくなるという利点がある。尚、必要に応じてスケール目盛りの表示を、ライブ像上の所望の位置にドラッグしてオーバーラップ表示させることができるようにしてもよい。
＜第一の実施形態の変形例２＞
図１０は、第一の実施形態の変形例２として、コンピュータシステム２０に機種の異なる２台の顕微鏡撮影装置ＤＣ−１およびＤＣ−２が接続される場合の例を示す図である。尚、同図は基本的には図４の場合と同様であるので、説明に必要な部分を除き、その他の部分については番号の図示を省略している。
【００８４】
同図に示すように、コンピュータシステム２０には、顕微鏡撮影装置ＤＣ−１と顕微鏡撮影装置ＤＣ−２の２台の顕微鏡撮影装置が接続される場合の例を示す図である。
同図に示すように、コンピュータシステム２０の本体装置２３の上面（上面でなく側面、前面、後面等どこでも良い）には、顕微鏡撮影装置の通信ケーブルを接続する２口の通信ケーブル接続端子５１と５２があり、同図に示す例では、通信ケーブル接続端子５１には顕微鏡撮影装置ＤＣ−１が通信ケーブル２２−１によって接続され、通信ケーブル接続端子５２には顕微鏡撮影装置ＤＣ−２が通信ケーブル２２−２によって接続されている。
【００８５】
尚、コンピュータシステム２０の機能ブロックは、図２に示した機能ブロック図のコンピュータシステム２０のＰＣ−通信制御部３２に、図１０に示したように、２口の通信ケーブル接続端子５１と５２を介して２台分の通信ケーブル２２−１および２２−２が接続される点を除いては、その他の部分の構成は同一である。
【００８６】
図１１は、本例において、観察者がコンピュータシステム２０の操作により制御プログラムであるＤＣＳ．ｅｘｅを起動したことによりコンピュータシステム２０によって実行される処理動作について説明するフローチャートである。
図１２は、上記の処理動作において使用される主要なコマンド群とその機能を説明する図表である。
【００８７】
図１１において、まず、制御プログラムであるＤＣＳ．ｅｘｅが起動されて、ＰＣ−ＣＰＵ２６は処理の実行を開始する（Ｓ１０１）。
そして、開始後直ちに、このコンピュータシステム２０の接続端子５１に接続された顕微鏡撮影装置に対し、ＰＣ−ＣＰＵ２６からＰＣ−通信制御部２１および接続端子５１を介して、図１２のコマンド名欄５３の１行目に示す制御コマンド「ＧｅｔＣａｍｅｒａ　１」を発行する（Ｓ１０２）。
【００８８】
この制御コマンド「ＧｅｔＣａｍｅｒａ　１」の発行は、図１２の機能説明欄５４の１行目に示すように、コンピュータシステム２０の通信ケーブル接続端子５１に接続された顕微鏡撮影装置の機種（機番）情報を取得するために行われる処理である。また、制御コマンド「ＧｅｔＣａｍｅｒａ　１」のスペース・デリミッタの後の「１」は、通信ケーブル接続端子５１に接続された機器への識別番号であり、これは以下の制御コマンドにおいても同様である。
【００８９】
通信ケーブル２２−１および通信ケーブル接続端子５１を介してコンピュータシステム２０のＰＣ−通信制御部３２と接続された顕微鏡撮影装置ＤＣ−１の制御回路１５のＣＰＵ１６は、上記の処理Ｓ１０２により、ＰＣ−ＣＰＵ２６から発行された制御コマンド「ＧｅｔＣａｍｅｒａ　１」を受信する。顕微鏡撮影装置ＤＣ−１のＣＰＵ１６は、メモリ装置１８の所定の領域から自装置の機番情報「ＤＣ−１」を読み出して、この読み出した機番情報「ＤＣ−１」を応答値とし、この応答値を、上記受信した制御コマンド「ＧｅｔＣａｍｅｒａ　１」にデリミッタの「スペース」を付加した後に追加して、図１２の応答例欄５５の１行目に示すように、応答情報「ＧｅｔＣａｍｅｒａ　１　ＤＣ−１」をコンピュータシステム２０に返信する。
【００９０】
上記返信により、コンピュータシステム２０のＰＣ−ＣＰＵ２６は、コンピュータシステム２０の通信ケーブル接続端子５１に接続された顕微鏡撮影装置ＤＣ−１からの応答情報「ＧｅｔＣａｍｅｒａ　１　ＤＣ−１」を受信する（Ｓ１０３）。
【００９１】
この受信した応答情報応答情報「ＧｅｔＣａｍｅｒａ　１　ＤＣ−１」から、コンピュータシステム２０のＰＣ−ＣＰＵ２６は、通信ケーブル接続端子５１に接続された顕微鏡撮影装置の機番（機種）を示すデータ「ＤＣ−１」を取得する。
【００９２】
続いて、ＰＣ−ＣＰＵ２６は、コンピュータシステム２０の接続端子５２に接続された顕微鏡撮影装置に対し、ＰＣ−ＣＰＵ２６からＰＣ−通信制御部２１および通信ケーブル接続端子５２を介して、図１２のコマンド名欄５３の４行目に示す制御コマンド「ＧｅｔＣａｍｅｒａ　２」を発行する（Ｓ１０４）。
【００９３】
この制御コマンド「ＧｅｔＣａｍｅｒａ　２」の発行は、図１２の機能説明欄５４の４行目に示すように、コンピュータシステム２０の通信ケーブル接続端子５２に接続された顕微鏡撮影装置の機種（機番）情報を取得するために行われる処理である。
【００９４】
通信ケーブル２２−１および通信ケーブル接続端子５２を介してコンピュータシステム２０のＰＣ−通信制御部３２と接続された顕微鏡撮影装置ＤＣ−２の制御回路１５のＣＰＵ１６は、上記の処理Ｓ１０４により、ＰＣ−ＣＰＵ２６から発行された制御コマンド「ＧｅｔＣａｍｅｒａ　２」を受信する。顕微鏡撮影装置ＤＣ−２のＣＰＵ１６は、メモリ装置１８の所定の領域から自装置の機番情報「ＤＣ−２」を読み出して、この読み出した機番情報「ＤＣ−２」を応答値とし、この応答値を、上記受信した制御コマンド「ＧｅｔＣａｍｅｒａ　２」にデリミッタの「スペース」を付加した後に追加して、図１２の応答例欄５５の４行目に示すように、応答情報「ＧｅｔＣａｍｅｒａ　２　ＤＣ−２」をコンピュータシステム２０に返信する。
【００９５】
この返信により、コンピュータシステム２０のＰＣ−ＣＰＵ２６は、コンピュータシステム２０の通信ケーブル接続端子５２に接続された顕微鏡撮影装置ＤＣ−２からの応答情報「ＧｅｔＣａｍｅｒａ　２　ＤＣ−２」を受信する（Ｓ１０５）。
【００９６】
これにより、コンピュータシステム２０のＰＣ−ＣＰＵ２６は、通信ケーブル接続端子５２に接続された顕微鏡撮影装置の機番（機種）を示すデータ「ＤＣ−２」を取得する。
このように、顕微鏡撮影装置の機番の取得には、制御コマンド「ＧｅｔＣａｍｅｒａ　ｎ「が用いられる。「ｎ」はコンピュータシステム２０の通信ケーブル接続端子の番号である。そして、この制御コマンドに対する顕微鏡撮影装置からの応答情報は、コンピュータシステムからの制御コマンドに対して、返答を付加するのみとすれば、「ＧｅｔＣａｍｅｒａ　ｎ」に対する返答は「ＧｅｔＣａｍｅｒａ　ｎ　ＤＣ−ｍ」となる。「ｍ」は本例の場合は「１」又は「２」のいずれかである。これにより、コンピュータシステム２０のＰＣ−ＣＰＵ２６は、いずれの通信ケーブル接続端子にいずれの顕微鏡撮影装置が接続されているかを認識することができる。
【００９７】
更に続いて、ＰＣ−ＣＰＵ２６は、ＰＣ−通信制御部２１および通信ケーブル接続端子５１を介して、顕微鏡撮影装置ＤＣ−１に対し、図１２のコマンド名欄５３の２行目に示す制御コマンド「ＧｅｔＺｏｏｍＭａｇ　１」を発行する（Ｓ１０６）。
【００９８】
この制御コマンド「ＧｅｔＺｏｏｍＭａｇ　１」の発行は、図１２の機能説明欄５４の２行目に示すように、コンピュータシステム２０の通信ケーブル接続端子５１に接続された顕微鏡撮影装置の現在のズーム倍率情報を取得するために行われる処理である。
【００９９】
この処理により、顕微鏡撮影装置ＤＣ−１のＣＰＵ１６は、ＰＣ−ＣＰＵ２６からの制御コマンド「ＧｅｔＺｏｏｍＭａｇ　１」を受信する。この受信に基づいて、ＣＰＵ１６は、ズームボリューム１３のボリューム位置によって設定されているズーム倍率を参照し、そのズーム倍率を応答値として、その応答値を上記受信した制御コマンド「ＧｅｔＺｏｏｍＭａｇ　１」にデリミッタの「スペース」を付加した後に追加した応答情報を、コンピュータシステム２０のＰＣ−ＣＰＵ２６に返信する。
【０１００】
この顕微鏡撮影装置ＤＣ−１側からの返信処理では、例えば、現在のズーム倍率が１．００倍であれば、図１２の応答例欄５５の２行目に示すように、応答情報は「ＧｅｔＺｏｏｍＭａｇ　１　１．００」となる。
上記の返信により、コンピュータシステム２０のＰＣ−ＣＰＵ２６は、コンピュータシステム２０の通信ケーブル接続端子５１に接続された顕微鏡撮影装置ＤＣ−１からの応答情報「ＧｅｔＺｏｏｍＭａｇ　１　１．００」を受信する（Ｓ１０７）。
【０１０１】
これにより、コンピュータシステム２０のＰＣ−ＣＰＵ２６は、顕微鏡撮影装置ＤＣ−１の現在のズーム倍率を示すデータ「１．００」を取得する。
更に続いて、ＰＣ−ＣＰＵ２６は、ＰＣ−通信制御部２１および通信ケーブル接続端子５２を介して、顕微鏡撮影装置ＤＣ−２に対し、図１２のコマンド名欄５３の５行目に示す制御コマンド「ＧｅｔＺｏｏｍＭａｇ　２」を発行する（Ｓ１０８）。
【０１０２】
この制御コマンド「ＧｅｔＺｏｏｍＭａｇ　２」の発行は、図１２の機能説明欄５４の５行目に示すように、コンピュータシステム２０の通信ケーブル接続端子５２に接続された顕微鏡撮影装置の現在のズーム倍率情報を取得するために行われる処理である。
【０１０３】
この処理により、顕微鏡撮影装置ＤＣ−２のＣＰＵ１６は、ＰＣ−ＣＰＵ２６からの制御コマンド「ＧｅｔＺｏｏｍＭａｇ　２」を受信する。この受信に基づいて、ＣＰＵ１６は、ズームボリューム１３のボリューム位置によって設定されているズーム倍率を参照し、そのズーム倍率を応答値として、その応答値を上記受信した制御コマンド「ＧｅｔＺｏｏｍＭａｇ　２」にデリミッタの「スペース」を付加した後に追加した応答情報を、コンピュータシステム２０のＰＣ−ＣＰＵ２６に返信する。
【０１０４】
この顕微鏡撮影装置ＤＣ−１側からの返信処理では、例えば、現在のズーム倍率が１．００倍であれば、図１２の応答例欄５５の５行目に示すように、応答情報は「ＧｅｔＺｏｏｍＭａｇ　２　１．００」となる。
上記の返信により、コンピュータシステム２０のＰＣ−ＣＰＵ２６は、コンピュータシステム２０の通信ケーブル接続端子５２に接続された顕微鏡撮影装置ＤＣ−２からの応答情報「ＧｅｔＺｏｏｍＭａｇ　２　１．００」を受信する（Ｓ１０９）。
【０１０５】
これにより、コンピュータシステム２０のＰＣ−ＣＰＵ２６は、顕微鏡撮影装置ＤＣ−２の現在のズーム倍率を示すデータ「１．００」を取得する。
続いて、ＰＣ−ＣＰＵ２６は、ＰＣ−通信制御部２１および通信ケーブル接続端子５１を介して、顕微鏡撮影装置ＤＣ−１に対し、図１２のコマンド名欄５３の３行目に示す制御コマンド「ＧｅｔＺｏｏｍＲｅｇ　１」を発行する（Ｓ１１０）。
【０１０６】
この制御コマンド「ＧｅｔＺｏｏｍＲｅｇ　１」の発行は、図１２の機能説明欄５４の３行目に示すように、コンピュータシステム２０の通信ケーブル接続端子５１に接続された顕微鏡撮影装置（この場合は機番ＤＣ−１）の有するズーム倍率の範囲情報を取得するために行われる処理である。
【０１０７】
この処理により、顕微鏡撮影装置ＤＣ−１のＣＰＵ１６は、ＰＣ−ＣＰＵ２６からの制御コマンド「ＧｅｔＺｏｏｍＲｅｇ　１」を受信する。この受信に基づいて、ＣＰＵ１６は、メモリ装置１８の所定の領域から自装置のズーム機構８に備わっているズーム倍率の範囲を示す情報を読み出して、この読み出したズーム倍率の範囲情報を、応答値として、この応答値を、上記受信した制御コマンド「ＧｅｔＺｏｏｍＲｅｇ　１」にデリミッタの「スペース」を付加した後に追加した応答情報を、コンピュータシステム２０のＰＣ−ＣＰＵ２６に返信する。
【０１０８】
この顕微鏡撮影装置ＤＣ−１側からの返信処理では、例えば、現在のズーム倍率の範囲が、１〜１０倍であれば、図１２の応答例欄５５の３行目に示すように、応答情報は「ＧｅｔＺｏｏｍＲｅｇ　１　１，１０」となる。
上記の返信により、コンピュータシステム２０のＰＣ−ＣＰＵ２６は、コンピュータシステム２０の通信ケーブル接続端子５１に接続された顕微鏡撮影装置ＤＣ−１からの応答情報「ＧｅｔＺｏｏｍＲｅｇ　１　１，１０」を受信する（Ｓ１１１）。
【０１０９】
これにより、コンピュータシステム２０のＰＣ−ＣＰＵ２６は、顕微鏡撮影装置ＤＣ−１の有するズーム倍率の範囲を示すデータ「１〜１０倍」を取得する。
更に続いて、ＰＣ−ＣＰＵ２６は、ＰＣ−通信制御部２１および通信ケーブル接続端子５２を介して、顕微鏡撮影装置ＤＣ−２に対し、図１２のコマンド名欄５３の６行目に示す制御コマンド「ＧｅｔＺｏｏｍＲｅｇ　２」を発行する（Ｓ１１２）。
【０１１０】
この制御コマンド「ＧｅｔＺｏｏｍＲｅｇ　２」の発行は、図１２の機能説明欄５４の６行目に示すように、コンピュータシステム２０の通信ケーブル接続端子５２に接続された顕微鏡撮影装置（この場合は機番ＤＣ−２）の有するズーム倍率の範囲情報を取得するために行われる処理である。
【０１１１】
この処理により、顕微鏡撮影装置ＤＣ−２のＣＰＵ１６は、ＰＣ−ＣＰＵ２６からの制御コマンド「ＧｅｔＺｏｏｍＲｅｇ　２」を受信する。この受信に基づいて、ＣＰＵ１６は、メモリ装置１８の所定の領域から自装置のズーム機構８に備わっているズーム倍率の範囲を示す情報を読み出して、この読み出したズーム倍率の範囲情報を、応答値として、この応答値を、上記受信した制御コマンド「ＧｅｔＺｏｏｍＲｅｇ　２」にデリミッタの「スペース」を付加した後に追加した応答情報を、コンピュータシステム２０のＰＣ−ＣＰＵ２６に返信する。
【０１１２】
この顕微鏡撮影装置ＤＣ−２側からの返信処理では、例えば、現在のズーム倍率の範囲が、１０〜２０倍であれば、図１２の応答例欄５５の６行目に示すように応答情報は「ＧｅｔＺｏｏｍＲｅｇ　２　１０，２０」となる。
上記の返信により、コンピュータシステム２０のＰＣ−ＣＰＵ２６は、コンピュータシステム２０の通信ケーブル接続端子５２に接続された顕微鏡撮影装置ＤＣ−２からの応答情報「ＧｅｔＺｏｏｍＲｅｇ　２　１０，２０」を受信する（Ｓ１１３）。
【０１１３】
これにより、コンピュータシステム２０のＰＣ−ＣＰＵ２６は、顕微鏡撮影装置ＤＣ−２の有するズーム倍率の範囲を示すデータ「１０〜２０倍」を取得する。
そして、ＰＣ−ＣＰＵ２６は、上記顕微鏡撮影装置ＤＣ−１およびＤＣ−２から受信した応答情報の情報に基づいて、これらの情報に対応するサブアプリケーションプログラムを起動する（Ｓ１１４）。これにより、コンピュータシステム２０のモニタ２４の画面上に、上記起動されたサブアプリケーションプログラムによる画面が表示される。
【０１１４】
図１３は、上記のようにして起動されたサブアプリケーションプログラムによりモニタ２４上に表示されるモニタ画面の表示の例を示す図である。本例の図１３に示されるモニタ画面５３の表示は、画面上方に表示されてる機種表示部３７と終了ボタン４０との間の画面の表示切り替えボタンとして「ＤＣ−１」ボタン５４、「ＤＣ−２」ボタン５５、および「閲覧」ボタンの３つのボタンが表示されている点が、図６（ａ）　に示したモニタ画面３６の表示の場合と異なる。
【０１１５】
図１３に示す例では、「ＤＣ−１」ボタンが反転表示されており、この「ＤＣ−１」ボタンが選択されて押されたことを示している。同図では、このように「ＤＣ−１」ボタンが押されたことにより、機種表示部３７には機種を示す「ＤＣ−１」が表示され、映像部４１には、顕微鏡撮影装置ＤＣ−１で撮影されているライブ像が表示されている。ここで観察者が「ＤＣ−２」ボタン５５を押すと、「ＤＣ−２」ボタン５５が反転表示され、それより下方の画面表示は、図７に示したと同様の画面表示に切り替わる。
【０１１６】
このように、本例では、コンピュータシステム２０に複数台の顕微鏡撮影装置を接続して、モニタ２４の表示画面を任意に切り換えてライブ像を見ることができるので、例えば２種類の顕微鏡撮影装置のライブ像を交互に見たいときに、一方の顕微鏡撮影装置をコンピュータシステム２０から切り離して、他方の顕微鏡撮影装置をコンピュータシステム２０に接続するという通信ケーブルの接続切換を行う手数がなくなり、操作性が向上する。
＜第二の実施形態＞
次に、第二の実施形態について説明する。この第二の実施形態においては、撮影された標本像の画像ファイルに撮影情報ファイルが付加される。
【０１１７】
図１４（ａ）　は、第二の実施形態における撮影された標本像の画像ファイルの構成例を示し、同図（ｂ），（ｃ）　は、その画像ファイルに付加された撮影情報ファイルの構成例を示している。同図（ａ）　の左に示すように、画像ファイル５６は「ｉｍｇ００１．ｂｍｐ」のファイル名で表されるビットマップ形式の画像ファイルである。上記のファイル名の中の「００１」は撮影番号を示しており、この画像ファイル５６が１番目に撮影された画像の画像ファイルであることを示している。したがって、標本像が撮影される毎に、番号が「１」ずつ増加する。この「ｉｍｇ００１．ｂｍｐ」のファイル名の画像ファイル５６は、例えば同図（ａ）　の右に示すように、図６（ａ）　や図７の映像部４１に表示されたライブ像を撮影したこによって得られる画像データのファイルである。
【０１１８】
このファイル名「ｉｍｇ００１．ｂｍｐ」の画像ファイル５６に付加される撮影情報ファイルは、図１４（ｂ）　に示すように、「ｉｍｇ００１．ｄａｔ」のファイル名を有している。この撮影情報ファイル５７のファイル名「ｉｍｇ００１．ｄａｔ」の中の「００１」は、画像ファイル５６のファイル名「ｉｍｇ００１．ｂｍｐ」の「００１」に対応するものであり、画像ファイル「ｉｍｇ００１．ｂｍｐ」が生成されるとき、同時に撮影情報ファイル「ｉｍｇ００１．ｄａｔ」が生成されて、画像ファイルにリンクされる形でコンピュータシステム２０のハードディスク２８に保存される。
【０１１９】
上記のファイル名「ｉｍｇ００１．ｄａｔ」の撮影情報ファイル５７のデータ構成は、同図（ｂ）　に示すように、撮影装置（顕微鏡撮影装置）の機種、ズーム倍率、ズーム範囲、露出時間、および撮影日時の各データからなる。これら各データは、具体的には、例えば顕微鏡撮影装置ＤＣ−１の画像ファイルに付加される撮影情報ファイルの場合であれば、一例として同図（ｃ）　に示すように、「ＤＣ−１，　１．００，　１，１０，１／５００，　２００２０１０１」のような、スペースデリミッタ形式のデータファイルとして表される。
【０１２０】
上記の例では、左から、機番がＤＣ−１、撮影時のズーム倍率が１．００倍、この機番の撮影装置が有するズーム倍率の範囲が１〜１０倍、撮影時の露出時間が１／５００秒、および撮影日時が西暦２００２年１月１日であることを表している。
【０１２１】
図１５は、上記第二の実施の形態における閲覧画面の表示例を示す図である。同図は、本例の制御プログラムＤＣＳ．ｅｘｅに基づくＰＣ−ＣＰＵ２６による処理動作において、制御プログラムＤＣＳ．ｅｘｅが起動され、モニタ画面５８が表示され、その表示画面に表示切り替えボタンの「閲覧」ボタン３９が押された場合の表示処理の結果である閲覧画面の表示例を示している。この閲覧画面の表示では、コンピュータシステム２０のハードディスク２８に保存されている画像ファイルの画像が表示される。
【０１２２】
そして、その閲覧画面の表示に際しては、撮影情報ファイル「ｉｍｇｘｘｘ．ｄａｔ」（ｘｘｘは画像ファイルの撮影番号に対応する数字）にデータとして記述されている画像情報（撮影情報）の中から得られた機番データとズーム倍率データとに基づいてスケール目盛りの表示データが生成され、各表示画像毎に、その表示画像上にオーバーラップして機番とスケール目盛りが表示される。このスケール目盛りの算出方法は、第一の実施形態の場合と同様である。
【０１２３】
この機番とスケール目盛りの表示では、必ずしも各画像共通に同一位置に表示する必要はなく、画像に毎に異なる位置に表示してもよい。
同図に示す閲覧画面の例では、４枚の閲覧画像のうち左上の閲覧画像５９では、右上隅に「ＤＣ−１」の機番が表示され右下隅に「１００μｍ」の数字とこの数字に対応するスケール線が表示されている。また、右上の閲覧画像６０では、左上隅に「ＤＣ−１」の機番が表示され右下隅に「１００μｍ」の数字とこの数字に対応するスケール線が表示されている。
【０１２４】
そして、左下の閲覧画像６１では、左上隅に「ＤＣ−２」の機番が表示され左下隅に「５０μｍ」の数字とこの数字に対応するスケール線が表示されている。また、右下の閲覧画像６２では、右上隅に「ＤＣ−２」の機番が表示され右下隅に「１０μｍ」の数字とこの数字に対応するスケール線が表示されている。
【０１２５】
このように、撮影した画像ファイルに撮影情報ファイルがあることで、この撮影情報ファイルのデータも基づいて、画像ごとに機番と画像のスケール目盛りを正しく表示することが出来る。また、このように撮影情報ファイルがあれば、撮影した顕微鏡撮影装置に対応するサブアプリケーションプログラムによって顕微鏡撮影装置からの応答情報を取得するという顕微鏡撮影装置に依存する形態をとることなく、同一のサブアプリケーションプログラムで機番とスケール目盛り付きの画像をモニタ画面に表示できるから、ハードディスク等の記憶媒体に取り込み済みの画像データの画像をモニタ画面に表示するときには便利である。
＜第二の実施形態の変形例＞
次に、上記第二の実施形態の、変形例について述べる。上記の第二の実施形態では、撮影した機種の別に拘わりなくハードディスク２８内の全ての画像ファイルの画像データを閲覧表示するようにしているが、第二の実施形態の変形例ではコンピュータシステム２０に接続されている顕微鏡撮影装置に関わる画像ファイルの画像のみを閲覧画面で表示するようにする。
【０１２６】
上述したように、コンピュータシステム２０内のハードディスク２８には、複数の異なる機種の顕微鏡撮影装置で撮影した画像ファイル「ｉｍｇｘｘｘ．ｄｍｐ」とこれに対応する撮影情報ファイル「ｉｍｇｘｘｘ．ｄａｔ」（ｘｘｘは画像ファイルの撮影番号）が多数格納されている。
【０１２７】
本変形例では、例えば顕微鏡撮影装置ＤＣ−１をコンピュータシステム２０に接続して、制御プログラムのＤＣＳ．ｅｘｅを起動し、表示画面の表示切り替えボタンの「閲覧」ボタンを押した場合には、ハードディスク２８内に多数格納されている異なる機種の画像ファイルの中から、コンピュータシステム２０に接続されている顕微鏡撮影装置ＤＣ−１に対応する画像ファイル（接続されている顕微鏡撮影装置ＤＣ−１で撮影され、予めハードディスク２８内に取り込まれているファイル名「ｉｍｇ００１．ｂｍｐ」の画像ファイル）の画像のみを閲覧画面で表示するようにする。
【０１２８】
このようにすると、コンピュータシステム２０に接続した顕微鏡撮影装置で撮影した画像のみをモニタ画面で閲覧できるため、特定の顕微鏡撮影装置で撮影した画像のみを閲覧するときや、その画像の削除やその他の編集を行うときに、関係の無い顕微鏡撮影装置の画像が画面に混在して表示されて紛らわしくなるという不便が解消され、閲覧や編集の作業効率が向上する。
＜第三の実施形態＞
図１６（ａ），（ｂ）　は、第三の実施形態におけるモニタ画面の表示の例を示す図である。本例のモニタ画面表示では、顕微鏡撮影装置の機種によって、閲覧画面の表示方法が異なるように設定される。機種によって表示方法が異なるので同図（ａ），（ｂ）　に示すように、モニタ画面の上方に表示される表示切り替えボタンのうち、閲覧ボタンは、機種の数に対応して「ＤＣ−１閲覧」ボタン６３と「ＤＣ−２閲覧」ボタン６４の二つが表示されている。
【０１２９】
尚、顕微鏡撮影装置の機種が２機種よりも多い場合は、閲覧ボタンは１個のみとし、この閲覧ボタンから複数の機種に対応する閲覧ボタンをプルダウンメニューで表示するようにすると良い。
本例の場合は顕微鏡撮影装置の機種はＤＣ−１とＤＣ−２の２機種であり、例えば、同図（ａ）　は、「ＤＣ−１閲覧」ボタン６３が押されて反転表示されており、顕微鏡撮影装置ＤＣ−１で撮影された画像の閲覧画面が表示されている。このモニタ画面には、撮影情報ファイルのデータに基づいて顕微鏡撮影装置ＤＣ−１で撮影された画像の画像ファイルであると判断された画像ファイルの画像のみが適宜の大きさのサムネイル判で一覧表示される。
【０１３０】
他方、同図（ｂ）　は、「ＤＣ−２閲覧」ボタン６４が押されて反転表示されており、顕微鏡撮影装置ＤＣ−２で撮影された画像の閲覧画面が表示されている。この場合も、撮影情報ファイルのデータに基づいて顕微鏡撮影装置ＤＣ−２で撮影された画像の画像ファイルであると判断された画像ファイルの画像のみが表示される。但し、同図（ａ）　の場合とは異なり、この場合のモニタ画面には、一枚の画像のみが大きく表示される。その表示画像の右方の残余の画面表示領域には、上方に左向きの画像送りボタン６５と右向きの画像送りボタン６６が表示され、下方にスケール目盛り６７が表示されている。
【０１３１】
右向きの画像送りボタン６６が押されることにより、ハードディスク２８内にある顕微鏡撮影装置ＤＣ−２で撮影された次の画像が１枚ずつ表示される。また、左向きの画像送りボタン６５が押された場合は、１枚前の画像に戻って表示される。
【０１３２】
本例のモニタ画面の表示処理では、例えば顕微鏡撮影装置ＤＣ−１では、複数枚の撮影画像を同時に再生して観察したい標本群を撮影し、顕微鏡撮影装置ＤＣ−２では、１枚１枚を細部にわたり観察したい標本群を撮影したような場合に、それらの画像ファイルに対応する各撮影情報ファイルのデータに基づいて、同図（ａ），（ｂ）　に示すように、表示方法が変化する。
＜第四の実施形態＞
次に、第四の実施形態について説明する。
【０１３３】
図１７は、第四の実施形態におけるモニタ画面の表示の例を示す図である。同図に示す表示画面の画像は、図１５に示した表示画面の画像と同一の画像であるが、本例では、画像ファイルに対応する撮影情報ファイルが存在しない場合、または誤って異なる画像ファイルにリンクされている場合等に表示される閲覧画面の例を示している。
【０１３４】
図１７において、左上の閲覧画像５９′と、右上の閲覧画像６０′は正常な撮影情報ファイルが付加されている場合であり、表示されている閲覧画像の表示方法は図１５の閲覧画像５９および６０と同一である。
しかし、図１７の左下の閲覧画像６１′は、撮影情報ファイルは存在するがその撮影情報ファイルのデータにズーム倍率のデータがないため、顕微鏡撮影装置の機種「ＤＣ−２」の表示が左上隅に表示されているが、左下隅にあるはずのスケール目盛りの表示がなされていない。
【０１３５】
また、図１７の右下の閲覧画像６２′は、撮影情報ファイルそのものが存在しない場合であって、顕微鏡撮影装置の機種の表示もスケール目盛りの表示もなく撮影された標本画像だけが表示されている。
このように、たとえ撮影情報ファイルがない場合でも、ハードディスク２８に格納されている画像ファイルの画像は全て表示するようにするので、撮影情報ファイルが無いからといって見損じることなく、撮影した標本像は全て安心して閲覧することができる。
【０１３６】
以上説明した第１〜第４の実施の形態におけるモニタ画面の表示例は、それぞれ制御プログラムのＤＣＳ．ｅｘｅが、自動的に処理するものであるが、第１〜第４の実施の形態の全てを一つの制御プログラムで行う場合は、特には図示しないが、制御プログラムのＤＣＳ．ｅｘｅを起動した後、第１〜第４の実施の形態に対応する複数の表示モードを指定する表示指定ボタンを選択的に押すことによって、押された表示指定ボタンに対応するサブアプリケーションプログラムが起動するようにして、第１〜第４の実施の形態におけるモニタ画面の表示処理を行うようにするとよい。
【０１３７】
【発明の効果】
以上説明したように、本発明によれば、顕微鏡撮影装置の制御プログラムが、コンピュータシステムに接続される顕微鏡撮影装置から取得する機種や倍率等の装置情報によって自動的にサブアプリケーションプログラムを呼び出してその顕微鏡撮影装置を制御するので、顕微鏡撮影装置毎に専用のアプリケーションプログラムを持つ必要がなくなり、したがって、複数種類の顕微鏡撮影装置を切り換ながら顕微鏡撮影装置に接続して用いる場合に、その都度専用のアプリケーションプログラムを探し出してインストールするという手数と時間が省けて便利である。
【０１３８】
また、コンピュータシステムに記憶された撮影画像ファイルにリンクさせて撮影情報ファイルを生成して撮影画像ファイルと共に記憶するので、手元に顕微鏡撮影装置が無い場合でも、撮影情報ファイルのデータに基づいて、表示すべき撮影画像に応じたサブアプリケーションプログラムを自動的に呼び出して画像処理を行うので、異なる機種の顕微鏡撮影装置で撮影した標本画像をその異なる機種の顕微鏡撮影装置に応じた状態で閲覧することができて便利である。
【図面の簡単な説明】
【図１】第一の実施形態としての顕微鏡撮影装置の全体構成とこれに接続されるコンピュータシステムとを示す図である。
【図２】顕微鏡撮影装置の制御回路とコンピュータシステムの構成を機能ブロックで示す図である。
【図３】（ａ）　は制御回路のＬＥＤ駆動パルス発生器によって生成されるＬＥＤ駆動パルスの例を示す図、（ｂ）　は顕微鏡撮影装置の調光ボリュームとＣＣＤ上の光量との関係を示す図である。
【図４】２台の顕微鏡撮影装置とこれらのいずれかが接続されるべきコンピュータシステムとを示す図である。
【図５】（ａ）　は観察者が制御プログラムを起動したことによりコンピュータシステムによって実行される処理動作を説明するフローチャート、（ｂ）　はその処理動作において使用される主要なコマンド群とその機能を説明する図表である。
【図６】（ａ），（ｂ）　はコンピュータシステムに接続された顕微鏡撮影装置に対応して起動されたサブアプリケーションプログラムによりモニタ画面上に表示される表示画面の例を示す図である。
【図７】２台のうちの他の顕微鏡撮影装置とコンピュータシステムとを接続して制御プログラムを実行した場合に起動されるサブアプリケーションプログラムによるモニタ画面の表示の例を示す図である。
【図８】いずれの顕微鏡撮影装置もコンピュータシステムに接続せずに制御プログラムを実行した場合のモニタ画面の表示の例を示す図である。
【図９】第一の実施形態の変形例１におけるコンピュータシステムに接続する顕微鏡撮影装置の機種によってライブ像と共に表示するスケールの表示方法が異なる例を示す図である。
【図１０】第一の実施形態の変形例２におけるコンピュータシステムに機種の異なる２台の顕微鏡撮影装置が接続される場合の例を示す図である。
【図１１】第一の実施形態の変形例２において観察者が制御プログラムを起動したことによりコンピュータシステムによって実行される処理動作を説明するフローチャートである。
【図１２】図１１の処理動作において使用される主要なコマンド群とその機能を説明する図表である。
【図１３】２台の顕微鏡撮影装置がコンピュータシステムに接続された場合に起動されるサブアプリケーションプログラムによってモニタ上に表示される表示画面の例を示す図である。
【図１４】（ａ）　は第二の実施形態における撮影された標本像の画像ファイルの構成例を示し、（ｂ），（ｃ）　はその画像ファイルに付加された撮影情報ファイルの構成例を示している。
【図１５】第二の実施形態における閲覧画面の表示例を示す図である。
【図１６】（ａ），（ｂ）　は第三の実施形態におけるモニタ画面の表示の例を示す図である。
【図１７】第四の実施形態におけるモニタ画面の表示の例を示す図である。
【符号の説明】
１　　ＬＥＤ照明ユニット
２　　ＬＥＤ
３　　コレクタレンズ
４　　ステージ
５　　標本
６、７　結像レンズ群
８　　ズーム機構
９　　ＣＣＤ
１１　支持軸
１２　ズームレンズ群
１３　ズームボリューム
１４　調光ボリューム
１５　制御回路
１６　ＣＰＵ
１７　ＬＥＤ駆動パルス発生器
１８　メモリ装置
１９　ＡＤコンバータ
２０　コンピュータシステム
２１　通信制御部
２２、２２−１、２２−２　通信ケーブル
２３　本体装置
２４　モニタ
２５　キーボード
２６　ＰＣ−ＣＰＵ
２７　メモリ
２８　ハードディスク
２９　モニタ制御部
３１　Ｉ／Ｆ（インターフェース）部
３２　ＰＣ−通信制御部
３３　コマンド名欄
３４　機能説明欄
３５　応答例欄
３６、３６′、３６″　モニタ画面
３７　機種表示部
３８　カメラボタン
３９　閲覧ボタン
４０　画面閉じボタン
４１　映像部
４２　撮影ボタン
４３　録画ボタン
４４　ズームバー
４４−１　ズーム位置矢印
４５　露出バー
４５−１　露出位置矢印
４６　スケール目盛り
４７（４７−１、４７−２、４７−３、４７−４）　撮影画像
４８　閲覧表示画面
４９　スケール目盛り
５１、５２　通信ケーブル接続端子
５３　モニタ画面
５４　「ＤＣ−１」ボタン
５５　「ＤＣ−２」ボタン
５６　画像ファイル
５７　撮影情報ファイル
５８　モニタ画面
５９、６０、６１、６２　閲覧画像
５９′、６０′、６１′、６２′　閲覧画像
６３　「ＤＣ−１閲覧」ボタン
６４　「ＤＣ−２閲覧」ボタン
【図１】
2004086004.tif 000003
【図２】
2004086004.tif 000004
【図３】
2004086004.tif 000005
【図４】
2004086004.tif 000006
【図５】
2004086004.tif 000007
【図６】
2004086004.tif 000008
【図７】
2004086004.tif 000009
【図８】
2004086004.tif 000010
【図９】
2004086004.tif 000011
【図１０】
2004086004.tif 000012
【図１１】
2004086004.tif 000013
【図１２】
2004086004.tif 000014
【図１３】
2004086004.tif 000015
【図１４】
2004086004.tif 000016
【図１５】
2004086004.tif 000017
【図１６】
2004086004.tif 000018
【図１７】
2004086004.tif 000019